(57)【要約】【課題】排水管の清掃が容易であり、より確実に植物を生育できる栽培装置を提供する。【解決手段】  多年生つる性植物を培養するための培地が収容される収容室と、多年性つる性植物を培養するための培養液が供給される供給口と、培地を流れた後の余剰の培養液が排出される排水口と、清掃口と、を有する栽培槽と、余剰の培養液が流入する穿孔を側面に有し、穿孔から流入した後の余剰の培養液が排水口に向かって流れるように、上流側の開口端が清掃口から突出した状態で、収容室内の底面近傍を通るように配設される排水管と、上流側の開口端に着脱自在に装着される清掃用蓋とを備える栽培装置。【選択図】  図２
2011172538.tif 000002
【特許請求の範囲】
【請求項１】
多年生つる性植物を培養するための培地が収容される収容室と、前記多年性つる性植物を培養するための培養液が供給される供給口と、前記培地を流れた後の余剰の培養液が排出される排水口と、清掃口と、を有する栽培槽と、
前記余剰の培養液が流入する穿孔を側面に有し、前記穿孔から流入した後の前記余剰の培養液が前記排水口に向かって流れるように、上流側の開口端が前記清掃口から突出した状態で、前記収容室内の底面近傍を通るように配設される排水管と、
前記上流側の開口端に着脱自在に装着される清掃用蓋と、
を備えたことを特徴とする栽培装置。
【請求項２】
前記排水管と前記清掃用蓋は、遮光性を有する材料から形成される
ことを特徴とする請求項１に記載の栽培装置。
【請求項３】
前記穿孔を通して前記排水管の内部に延在する前記多年生つる性植物の根を掻き出す鉤と、
前記清掃用蓋が取り外された状態において、前記鉤を前記排水管の上流側に引き出すワイヤと、
を前記排水管の内部に備えたことを特徴とする請求項１又は２に記載の栽培装置。
【請求項４】
前記清掃用蓋と前記鉤は前記ワイヤを介して結合される
ことを特徴とする請求項３に記載の栽培装置。
【請求項５】
前記栽培槽は、前記収容室と前記排水口を隔離する隔離壁を有し、
前記排水管の下流側の開口端は、前記隔離壁を通して前記排水口に向かって突出する
ことを特徴とする請求項１乃至４の何れかに記載の栽培装置。
【請求項６】
前記余剰の培養液を排出可能なメッシュ状のストレーナを有し、前記下流側の開口端に着脱自在に装着される排水用蓋、
を更に備えたことを特徴とする請求項５に記載の栽培装置。
【請求項７】
前記清掃用蓋に装着され、前記排水管の内部温度を測定すると共に表示する温度計
を更に備えたことを特徴とする請求項２に記載の栽培装置。
【請求項８】
前記温度計は、
前記清掃用蓋の裏側に装着され、前記排水管の内部温度を検出する温度検出素子と、
前記清掃用蓋の表側に装着され、前記温度検出素子の検出結果を表示する表示器と、
を有することを特徴とする請求項７に記載の栽培装置。
【発明の詳細な説明】
【技術分野】
【０００１】
本発明は、栽培装置に関する。
【背景技術】
【０００２】
多年生つる性植物等の植物を水耕栽培するための栽培装置が一般に知られている。この栽培装置は、例えば、栽培槽と、排水管とを備えている。栽培槽は、植物が植え込まれる培地が収容されており、植物を培養する培養液を培地に供給するための供給口と、培地を流れた後の余剰の培養液を栽培槽内から排出するための排水口とを有している。排水管は、余剰の培養液を排水管の内部に取り入れるための穿孔を側面に有し、栽培槽内の底面近傍において、穿孔から流入した培養液が排水管の内部を流れて排水口に向かうように培地に埋設されている（例えば特許文献１を参照）。
【先行技術文献】
【特許文献】
【０００３】
【特許文献１】特開２００９−１８３２８０号公報
【発明の概要】
【発明が解決しようとする課題】
【０００４】
しかしながら、多年生つる性植物の根は、茎のように太く、水の流れる方向に向かって伸びやすいため、前述した栽培装置で多年生つる性植物を栽培する場合、この根が排水管の穿孔から排水管の内部に入り込み、穿孔を詰まらせ、更には排水管を詰まらせる虞がある。これによって、余剰の培養液の排出が阻害され、栽培槽の内部が過湿状態となると、植物の生育が阻害される虞がある。しかし、排水管に詰まった根を取り除くべく、培地に埋設された排水管を掘り起こして排水管の内部を清掃することは困難であると共に、排水管を掘り起こすことでかえって植物の生育が阻害される虞がある。
【０００５】
また、例えば建物の屋根や壁面等を緑化する緑化システムにこの栽培装置を備えた場合、栽培装置で多年生つる性植物を栽培する期間が数年に亘り長期間となるため、植物が繁茂して根が穿孔及び排水管の内部に詰まりやすい。しかし、緑化システムでは、栽培装置が一般に屋根の上等に設置されるため、培地を掘り起こして排水管の内部を清掃することはより一層困難であった。
【０００６】
本発明はかかる課題に鑑みてなされたものであり、その目的とするところは、排水管の清掃を容易にして、より確実に植物を生育できる栽培装置を提供することにある。
【課題を解決するための手段】
【０００７】
前記課題を解決するための発明は、多年生つる性植物を培養するための培地が収容される収容室と、前記多年性つる性植物を培養するための培養液が供給される供給口と、前記培地を流れた後の余剰の培養液が排出される排水口と、清掃口とを有する栽培槽と、前記余剰の培養液が流入する穿孔を側面に有し、前記穿孔から流入した後の前記余剰の培養液が前記排水口に向かって流れるように、上流側の開口端が前記清掃口から突出した状態で、前記収容室内の底面近傍を通るように配設される排水管と、前記上流側の開口端に着脱自在に装着される清掃用蓋とを備えた栽培装置である。
【０００８】
本発明の他の特徴については、添付図面及び本明細書の記載により明らかとなる。
【発明の効果】
【０００９】
本発明によれば、排水管の清掃が容易であり、より確実に植物を生育できる栽培装置を提供することができる。
【図面の簡単な説明】
【００１０】
【図１】第１の実施形態にかかる栽培装置を備える緑化システムが工場の屋根に設置された場合の外観を示す斜視図である。
【図２】第１の実施形態にかかる栽培装置の構成を説明するための要部断面図である。
【図３】排水管の上流側の開口端及び清掃用蓋を説明するための部分断面図である。
【図４】排水管の上流側の開口端の一部及び清掃用蓋の斜視図である。
【図５】排水管の下流側の開口端及び排水用蓋を説明するための部分断面図である。
【図６】排水用蓋の斜視図である。
【図７】排水管から清掃用蓋を取り外す作業を説明するための部分断面図である。
【図８】排水管の内部を清掃具によって清掃する作業を説明するための部分断面図である。
【図９】清掃具の要部斜視図である。
【図１０】第２の実施形態にかかる栽培装置の構成を説明するための要部断面図である。
【図１１】第２の実施形態にかかる栽培装置の排水管の内部を清掃する作業を説明するための部分断面図である。
【図１２】第３の実施形態にかかる栽培装置の構成を説明するための要部断面図である。
【発明を実施するための形態】
【００１１】
本明細書及び添付図面の記載により、少なくとも以下の事項が明らかとなる。
【００１２】
===緑化システムの全体構成===
本発明にかかる栽培装置は緑化システムに用いられる。そこで、先ず、図１を参照しつつ、緑化システムの全体構成について説明する。
【００１３】
緑化システムは、例えば、工場等の屋根１００の表面を緑化する目的で設置されるものであり、栽培装置１と、培養液循環ユニット２と、網材３とを備えている。
【００１４】
栽培装置１は、つる性植物８を水耕栽培するためのものであり、屋根１００の頂上部に設けられている。この栽培装置１で栽培されるつる性植物８としては、多年生のものが用いられる。耐寒性及び耐暑性に優れ、また垂下性を有するという観点からウコギ科のつる性植物が好適に用いられる。ウコギ科のつる性植物としては、ヘデラ・ヘリックス、ヘデラ・アルジェニシス、ヘデラ・コルシカ、ヘデラ・ハイバニカ等が挙げられる。つる性植物８のつるは、栽培装置１に設けられた開口１６から栽培装置１の外部へ伸びて行き、網材３を介して屋根１００を覆うように垂下していく。栽培装置１の詳細については、後述する。
【００１５】
培養液循環ユニット２は、栽培装置１との間でつる性植物８を培養するための培養液を循環させるものであり、培養液タンク４と、供給管５と、回収管６と、培養液ポンプ７とを有する。培養液タンク４には、栽培装置１に供給される培養液（液肥）が貯留される。供給管５は、培養液タンク４内の培養液を栽培装置１へと導くための管状部材であり、培養液タンク４と栽培装置１との間に設けられる。回収管６は、栽培装置１から排出された培養液を培養液タンク４へと導くための管状部材であり、栽培装置１と培養液タンク４との間に設けられる。
【００１６】
網材３は、栽培装置１の開口１６から伸長するつる性植物８のつるを支持するための部材であり、屋根１００の表面に沿って配置されている。これによって、日光の照射によって高温になった屋根１００の表面につる性植物８が直接触れてしまうことを防ぎ、つる性植物８をより確実に生育できる。
【００１７】
===第１の実施形態にかかる栽培装置の構成===
第１の実施形態にかかる栽培装置１の構成について、図２乃至図６を参照しつつ説明する。栽培装置１は、栽培槽１０と、排水管２０と、清掃用蓋３０と、排水用蓋４０とを備えている。
【００１８】
栽培槽１０は、例えばポリ塩化ビニル等の遮光性を有する材料からなり、上面が開放された直方体状の栽培槽本体１０Ａと、栽培槽本体１０Ａの上面の開口を上方から覆う槽蓋１０Ｂとから構成されている。
【００１９】
栽培槽本体１０Ａは、収容室１１Ｂと、供給口１２と、排水口１３Ａ、１３Ｂと、清掃口１４と、隔離壁１５と、開口１６（図１を参照）とを有している。この栽培槽本体１０Ａの内部は、隔離壁１５によって、排水口１３Ｂを備える排水空間１１Ａと、収容室１１Ｂとに区画されている。尚、以下の説明では、直方体状の栽培槽本体１０Ａを構成する短辺側の側板のうち、収容室１１Ｂを形成する側板を上流側板１０Ｃとし、排水空間１１Ａを形成する側板を下流側板１０Ｄとする。栽培槽本体１０Ａは、この上流側板１０Ｃ側から下流側板１０Ｄ側に向かって僅かに下り傾斜するように、屋根１００に設置されている。
【００２０】
収容室１１Ｂは、つる性植物８を培養するための培地１７が収容されている。培地１７には、例えば、圧縮成形したピートモス等の透水性素材からなるポット１８で育苗されたつる性植物８が、ポット１８ごと植え込まれている。これにより、培地１７につる性植物８を定植する際に、つる性植物８の根を傷めてしまうことを防止できる。また、定植したつる性植物８を培地１７に徐々に順応させることができる。よって、つる性植物８をより確実に生育することができる。尚、培地１７には、例えば、収容室１１Ｂの長手方向に沿って、略等間隔となるように、複数のつる性植物８が植え込まれている。
【００２１】
供給口１２は、栽培槽本体１０Ａの上流側板１０Ｃに形成され、培養液循環ユニット２の供給管５の外径と略等しい長さの直径を有する円形状の開口である。また、供給口１２は、収容室１１Ｂに収容された培地１７の表面よりも上方に配置されている。この供給口１２から収容室１１Ｂの内部に挿通される供給管５によって、培地１７に植え込まれたつる性植物８に培養液が供給される。具体的には、供給口１２から収容室１１Ｂ内に挿通された供給管５は、収容室１１Ｂの長手方向に沿って延在し、培地１７の表面に載置されている。この培地１７の表面に載置された供給管５の側面には、培養液を噴射させるため噴射口５Ａが長手方向に沿って複数形成されているため、培養液循環ユニット２の培養液タンク４から供給管５に送られた培養液が、噴射口５Ａを介して、培地１７の表面に散水される。この散水された培養液が培地１７の表面から収容室１１Ｂ内の底面に向かって浸透することで、つる性植物８の根に培養液が供給される。
【００２２】
排水口１３Ａは、隔離壁１５に形成され、排水管２０の外径と略等しい長さの直径を有する円形状の開口である。また排水口１３Ａは、栽培槽本体１０Ａ内の底面側に配置され、排水空間１１Ａと、収容室１１Ｂとを連通している。この排水口１３Ａには、排水管２０が挿通され、この排水管２０の一方の開口端（下流側の開口端２３）は、隔離壁１５から排水空間１１Ａへ突出している。培地１７に供給された培養液のうち、つる性植物８に吸収されずに収容室１１Ｂの底面近傍まで流下した余剰の培養液は、後述するように、排水管２０を介して、排水口１３Ａから排水空間１１Ａに排出される。
【００２３】
排水口１３Ｂは、栽培槽本体１０Ａの底板に形成され、培養液循環ユニット２の回収管６の外径と略等しい長さの直径を有する円形状の開口である。この排水口１３Ｂは、隔離板１５から突出する排水管２０の下流側の開口端２３よりも下流側板１０Ｄ側に配置され、回収管６が挿通されている。つまり、下流側の開口端２３は、排水口１３Ａから排水口１３Ｂに向かって、隔離壁１５から突出している。これによって、排水口１３Ａから排水管２０を介して排水空間１１Ａに排出された余剰の培養液は、更に、排水口１３Ｂから回収管６を介して栽培槽本体１０Ａの外部に排出され、培養液タンク４に戻される。
【００２４】
尚、図５に示すように、排水口１３Ｂを介して排水空間１１Ａと連通されている回収管６の開口には、メッシュ状のストレーナ６Ａが取り付けられている。これによって、排水空間１１Ａにつる性植物８の根や落下した葉等の異物が入り込んだ場合であっても、異物はストレーナ６Ａ上に残留し、余剰の培養液のみが回収管６の内部に導かれる。よって、ストレーナ６Ａ上に残留した異物を取り除くことで簡単に回収管６を清掃することができる。
【００２５】
清掃口１４は、上流側板１０Ｃに形成され、排水管２０の外径と略等しい長さの直径を有する円形状の開口である。この清掃口１４は、隔離壁１５に形成された排水口１３Ａと収容室１１Ｂを挟んで対向する位置に配置されている。また、清掃口１４には、排水管２０の下流側の開口端２３と反対側の開口端（上流側の開口端２２）側が挿通されている。この上流側の開口端２２は、清掃口１４を介して、上流側板１０Ｃから栽培槽本体１０Ａの外部へ突出している。
【００２６】
開口１６は、栽培槽本体１０Ａの長辺側の側板に複数形成される。この開口１６は、例えば、培地１７に植え込まれたつる性植物８の間隔に合わせて、等間隔毎に設けられており、前述したようにつる性植物８のつるを栽培槽本体１０Ａの外へと導く。
【００２７】
槽蓋１０Ｂは、栽培槽本体１０Ａに着脱可能に取り付けられ、栽培槽１０を清掃するとき等に栽培槽本体１０Ａから取り外される。栽培槽本体１０Ａに槽蓋１０Ｂを取り付けることで、栽培槽本体１０Ａ内のつる性植物８や培地１７等を強風や強雨から保護できる。また、栽培槽本体１０Ａ内に、アオコ等の発生原因となる日光や、培養液を希釈する雨水や、雑草の種子及び病原菌等が侵入することを防ぐことができる。更に、培地１７に供給された培養液が大気中に蒸発してしまうことを抑制できる。よって、つる性植物８をより確実に生育できる。
【００２８】
排水管２０は、例えばポリ塩化ビニルなどの遮光性を有する材料からなり、余剰の培養液を収容室１１Ｂから排水空間１１Ａに導くための管状部材である。排水管２０は、収容室１１Ｂ内の底面近傍を長手方向に沿って通り、上流側の開口端２２が上流側板１０Ｃの清掃口１４から突出し、下流側の開口端２３が隔離壁１５の排水口１３Ａから突出するように配設されている。この排水管２０の収容室１１Ｂ内を通る部分であって、収容室１１Ｂの底面側の略半周を除く側面には、複数の穿孔２１が形成されている。
【００２９】
穿孔２１は、収容室１１Ｂの底面近傍まで流下した余剰の培養液を排水管２０内に流入させる。前述したとおり、栽培槽本体１０Ａは屋根１００に対して傾斜するように設置されているため、排水管２０も、上流側の開口端２２から、下流側の開口端２３に向かって僅かに下り傾斜している。これによって、穿孔２１から排水管２０内に流入した余剰の培養液は、排水口１３Ａに向かって流れる。
【００３０】
清掃用蓋３０は、例えばポリ塩化ビニルなどの遮光性を有する材料からなり、図３及び図４に示すように、排水管２０の上流側の開口端２２に着脱自在に装着される。清掃用蓋３０は、排水管２０の内部を清掃するときに排水管２０から取り外される。この清掃用蓋３０の内部には、パッキン３１が備えられている。パッキン３１は、排水管２０に清掃用蓋３０が取り付けられている状態において、上流側の開口端２２と接触し、培養液が排水管２０の外部に漏れ出すことを防止する。
【００３１】
清掃用蓋３０を排水管２０に取り付けることで、排水管２０を通じて培養液が大気中に蒸発してしまうことを防止できる。また、排水管２０の上流側の開口端２２から、排水管２０を詰まらせるような異物や、アオコ等の発生原因となる日光や、雑草の種子及び病原菌等が侵入することを防ぐことができる。よって、つる性植物８をより確実に育成できる。
【００３２】
排水用蓋４０は、図５及び図６に示すように、排水管２０の下流側の開口端２３に着脱自在に装着され、排水管２０の内部を清掃するときに排水管２０から取り外される。この排水用蓋４０の内部には、ストレーナ４１が備えられている。ストレーナ４１は、培養液を通過させると共に、つる性植物８の根や落下した葉等の異物を通過させないメッシュ形状を有している。排水用蓋４０を排水管２０に取り付けることで、つる性植物８の根や落下した葉等の異物が排水空間１１Ａから排水管２０の内部に入り込むことを防止でき、排水管２０内の詰まりを抑制できる。
【００３３】
===第１の実施形態にかかる栽培装置の排水管の清掃作業について===
以下、図７乃至図９を参照しつつ、栽培装置１において、培養液がより多く存在する方向に向かって伸びやすいつる性植物８の根が、穿孔２１から排水管２０の内部に入り込んだ場合に、排水管２０の内部を清掃する作業について説明する。
【００３４】
栽培装置１では、排水管２０の内部を清掃するときを除いては、前述したように培養液の蒸発や異物の侵入等を防止するべく、排水管２０の上流側の開口端２２に清掃用蓋３０が取り付けられている。排水管２０の内部を清掃する場合には、先ず、図７に示すように、排水管２０から清掃用蓋３０を取り外す。そして、図８に示すように、上流側の開口端２２から排水管２０の内部に、例えば清掃具５０を挿入する。
【００３５】
清掃具５０は、排水管２０の内部を清掃するためのものであり、図９に示すように、鉤５１と、ワイヤ５２とを備えている。鉤５１とワイヤ５２は、例えば金属製の材料等によって一体に形成されている。
【００３６】
ワイヤ５２は、排水管２０の長手方向の長さと同程度の長さの棒形状を有している。鉤５１は、例えば、複数の棒状部材５１Ａがワイヤ５２の一端を中心として、ワイヤ５２の他端の方向に円錐状に放射した形状を有している。この鉤５１をワイヤ５２の一端側から排水管２０の内部に挿入した場合に、排水管２０の長手方向と略直交する方向の鉤５１の最大長（図９の矢印ａで示す長さ）は、鉤５１が排水管２０内を長手方向に沿って移動できるように、排水管２０の内径より僅かに小さくなっている。これによって、ワイヤ５２を介して、排水管２０の内部に鉤５１を挿入することで、穿孔２１を通して排水管２０の内部に延在するつる性植物８の根に棒状部材５１Ａ夫々を掛けることができる。この状態で鉤５１を排水管２０の上流側に引き出す作業を繰り返すことによって、穿孔２１及び排水管２０の内部からつる性植物８の根を掻き出すことができる。
【００３７】
また、排水管２０の内部を清掃する場合、排水管２０から清掃用蓋３０を取り外すと共に、排水用蓋４０を取り外し、上流側の開口端２２から下流側の開口端２３まで清掃具５０又は不図示のブラシ等を挿入してもよい。これによって、排水管２０内のつる性植物８の根を排水空間１１Ａに向かって押し出すことができる。
【００３８】
以上より、第１の実施形態にかかる栽培装置１では、排水管２０の上流側の開口端２２が清掃口１４から栽培槽１０の外部へ突出しているため、この上流側の開口端２２を介して、排水管２０内からつる性植物８の根を取り除くことができる。これにより、培地１７を掘り起こすことなく、排水管２０の内部を容易に清掃することができる。つまり、培地１７に植え込まれたつる性植物８に負荷をかけずに、収容室１１Ｂ内から余剰の培養液が効率よく排出される状態を容易に維持できる。よって、つる性植物８をより確実に生育できる。
【００３９】
更に、栽培装置１では、栽培槽本体１０Ａから槽蓋１０Ｂを取り外すことなく、排水管２０の内部を清掃することができる。これによって、排水管２０内の清掃中においても、アオコ等の発生原因となる日光や、雑草の種子及び病原菌等が栽培槽１０の内部に侵入することや、培地１７に供給された培養液が大気中に蒸発してしまうこと等を防ぐことができ、つる性植物８をより確実に生育できる。
【００４０】
また、栽培装置１では、排水管２０、清掃用蓋３０、栽培槽１０が夫々遮光性を有する材料から形成されているため、栽培槽１０の内部に日光が入り込むことを防いで、アオコ等が発生することを抑制できる。よって、つる性植物８をより確実に生育できる。
【００４１】
また、栽培装置１では、隔離壁１５によって、栽培槽本体１０Ａの内部が排水空間１１Ａと収容室１１Ｂに区画され、排水管２０の下流側の開口端２３は、排水口１３Ａから排水口１３Ｂに向かって、隔離壁１５から突出している。これによって、穿孔２１から排水管２０の内部に取り込まれた余剰の培養液は、排水空間１１Ａに排出された後に、排水口１３Ｂから回収管６へ排出される。つまり、排水管２０と回収管６とを連通せずに、余剰の培養液を回収管６へと排出できる。このため、排水管２０の上流側の開口端２２から、下流側の開口端２３を介して、つる性植物８の根を排水空間１１Ａに押し出すことが可能となり、排水管２０の清掃をより容易にすることができる。
【００４２】
更に、排水管２０の下流側の開口端２３に排水用蓋４０を取り付け、回収管６の開口にストレーナ６Ａを設けることで、排水管２０の内部に侵入したつる性植物８の根が回収管６まで伸びて回収管６の内部を詰まらせることを抑制できる。
【００４３】
===第２の実施形態にかかる栽培装置について===
本発明の第２の実施形態にかかる栽培装置１Ａについて、図１０及び図１１を参照して説明する。尚、図１０及び図１１において、図１乃至図９に示す構成と同一の構成については、同一の符号を付してその説明を省略する。栽培装置１Ａは、前述した栽培装置１の清掃用蓋３０にかえて、清掃用蓋３０Ａを備えている。清掃用蓋３０Ａは、前述した清掃用蓋３０の内面に、清掃具５０Ａ及び掛止部材３２を備えている。
【００４４】
掛止部材３２は、例えば金属製の棒状部材を半弧状に湾曲させて形成され、湾曲部が清掃用蓋３１Ａの内面から開口に向かって突出するように、清掃用蓋３０Ａの内面に取り付けられている。
【００４５】
清掃具５０Ａは、前述した清掃具５０のワイヤ５２にかえて、ワイヤ５２Ａを備えている。ワイヤ５２Ａは、前述したワイヤ５２の鉤５１と反対側の端部に掛止爪５３を有している。掛止爪５３は、例えば、ワイヤ５２Ａと一体に形成され、清掃用蓋３１Ａの内面と掛止部材３２に囲まれた空間（掛止孔）に挿通されることで、掛止部材３２に掛かるようになっている。また、掛止孔に挿通された掛止爪５３は、掛止孔から抜き出すことが可能である。これによって、清掃用蓋３０Ａの内面には、清掃具５０Ａが着脱自在に結合されている。つまり、清掃用蓋３０Ａと鉤５１はワイヤ５２Ａを介して結合されている。
【００４６】
清掃用蓋３０Ａは、図１０に示すように、つる性植物８の根が穿孔２１から排水管２０の内部に侵入していない状態において、清掃具５０Ａが排水管２０の内部に挿通されるように、上流側の開口端２２に取り付けられる。そして、排水管２０の内部を清掃する場合には、図１１に示すように、排水管２０から清掃用蓋３０Ａを取り外し、この清掃用蓋３０Ａと共に、清掃具５０Ａを排水管２０の上流側へ引き出す。これにより、棒状部材５１Ａに排水管２０内のつる性植物８の根を絡めつつ、鉤５１を排水管２０の外部へ引き出すことができる。
【００４７】
以上より、第２の実施形態にかかる栽培装置１Ａでは、清掃用蓋３０Ａと共に、清掃具５０Ａを引き抜くだけで、排水管２０内を清掃することができ、排水管２０内の清掃をより容易とすることができる。
【００４８】
尚、清掃具５０Ａは、前述したように清掃用蓋３０Ａの内面に着脱自在に結合されているため、清掃用蓋３０Ａを排水管２０から取り外した後、掛止孔から掛止爪５３を抜き出して、清掃用蓋３０Ａから清掃具５０Ａを取り外してもよい。これにより、清掃具５０Ａを直接排水管２０内から引き抜くことができる。また、清掃具５０Ａは、清掃用蓋３０Ａから取り外された状態で、排水管２０の内部に挿入されていてもよい。
【００４９】
===第３の実施形態にかかる栽培装置について===
本発明の第３の実施形態にかかる栽培装置１Ｂについて、図１２を参照して説明する。尚、図１２において、図１乃至図１１に示す構成と同一の構成については、同一の符号を付してその説明を省略する。栽培装置１Ｂは、前述した栽培装置１Ａの清掃用蓋３０Ａにかえて、清掃用蓋３０Ｂを備えている。
【００５０】
清掃用蓋３０Ｂは、前述した清掃用蓋３０に温度検出素子６１及び表示器６２を有する温度計６０が装着されている。温度検出素子６１は、清掃用蓋３０Ｂの裏側に装着され、排水管２０の内部温度を検出する。この温度検出素子６１は、例えば清掃用蓋３０Ｂの内面と外面との間を貫通する貫通孔を介して、表示器６２と電気的に接続されている。表示器６２は、清掃用蓋３０Ｂの表側に装着され、温度検出素子６１の検出結果を例えば液晶ディスプレイに表示する。この表示器６２は、例えば温度検出素子６１が通る貫通孔を覆うように、清掃用蓋３０Ｂに対して不図示のビス等によって固定されている。
【００５１】
これによって、第３の実施形態にかかる栽培装置１Ｂでは、つる性植物８に負荷をかけることなく、容易に排水管２０の内部温度を確認できる。そして、確認した排水管２０の内部温度に応じて、例えば、培地１７に供給する培養液の温度等を調整することで、栽培装置１Ｂの収容室１１Ｂ等の内部を、つる性植物８を生育するためにより好ましい環境とすることができる。よって、より確実につる性植物８を生育することができる。
【００５２】
更に、表示器６２を視認することによって、清掃用蓋３０Ｂを取り外すことなく排水管２０の内部温度を確認できるため、排水管２０内にアオコ等の発生原因となる日光や、雑草の種子及び病原菌等が栽培槽１０の内部に侵入することや、培地１７に供給された培養液が大気中に蒸発してしまうこと等をより確実に防ぐことができる。よって、つる性植物８をより確実に生育できる。
【００５３】
尚、第３の実施形態にかかる栽培装置１Ｂにおいても、前述した栽培装置１と同様に、排水管２０から清掃用蓋３０Ｂを取り外し、排水管２０の内部に例えば清掃具５０を挿入することで、排水管２０内を容易に清掃することができる。
【００５４】
===その他の実施形態===
前述した実施形態は、本発明の理解を容易にするためのものであり、本発明を限定して解釈するためのものではない。本発明は、その趣旨を逸脱することなく変更、改良されると共に、本発明にはその等価物も含まれる。
【００５５】
前述した栽培装置１、１Ａ、１Ｂでは、穿孔２１を通して排水管２０の内部に延在するつる性植物８の根を排水管２０内から取り除くこととした。しかし、特にこれに限定されるものではなく、例えば、穿孔２１及び排水管２０の内部に入り込んだ培地１７の一部やその他の異物を、つる性植物８の根と同様に排水管２０内から取り除くこととしてもよい。
【００５６】
また、前述した栽培装置１、１Ａ、１Ｂでは、排水管２０Ａの上流側の開口端２２が挿通される清掃口１４と、下流側の開口端２３が挿通される排水口１３Ａとが、収容室１１Ｂを挟んで対向する位置に配置されることとした。そして、屋根１００に対して、栽培槽本体１０Ａを傾斜させて設置することで、排水管２０を傾斜させて、穿孔２１から排水管２０内に流入した余剰の培養液を排水口１３Ａに導くこととした。しかし、特にこれに限定されるものではなく、例えば、排水口１３Ａと収容室１１Ｂを挟んで対向する位置よりも清掃口１４が上方となるように、排水口１３Ａ及び清掃口１４を配置することで、排水管２０を傾斜させて、培養液を排水口１３Ａに導いてもよい。
【００５７】
また、前述したワイヤ５２、５２Ａ、６１は、金属製の棒状部材であることとしたが、特にこれに限定されるものではなく、例えば、曲げ等が可能な可撓性を有する部材であってもよい。
【００５８】
また、前述した栽培装置１Ｂでは、清掃用蓋３０Ｂの表側に表示器６２が装着されることとしたが、特にこれに限定されるものではなく、例えば清掃用蓋３０Ｂの裏側に表示器６２が装着され、排水管２０から清掃用蓋３０Ｂを取り外して、排水管２０の内部温度を確認してもよい。また、温度計６０は、温度検出素子６１及び表示器６２を有することとしたが、特にこれに限定されるものではなく、排水管２０の内部温度を測定すると共に表示するものであればよい。例えば、感温液として水銀や着色したアルコール等を用いたガラス製温度計が清掃用蓋３０Ｂの内側に装着されていてもよい。
【００５９】
また、栽培装置１、１Ａ、１Ｂは、緑化システムに限らず、つる性植物を水耕栽培する必要があるものに好適に用いられる。
【符号の説明】
【００６０】
１、１Ａ、１Ｂ…栽培装置,２…培養液循環ユニット,３…網材,４…培養液タンク,５…供給管,５Ａ…噴射口,６…回収管,６Ａ、４１…ストレーナ,７…培養液ポンプ,８…つる性植物,１０…栽培槽,１０Ａ…栽培槽本体,１０Ｂ…槽蓋,１０Ｃ…上流側板,１０Ｄ…下流側板,１１Ａ…排水空間,１１Ｂ…収容室,１２…供給口,１３Ａ、１３Ｂ…排水口,１４…清掃口,１５…隔離壁,１６…開口,１７…培地,１８…ポット,２０…排水管,２１…穿孔,２２…上流側の開口端,２３…下流側の開口端,３０、３０Ａ、３０Ｂ…清掃用蓋,３１…パッキン,３２…掛止部材,４０…排水用蓋,５０、５０Ａ…清掃具,５１…鉤,５１Ａ…棒状部材,５２、５２Ａ…ワイヤ,５３…掛止爪,６０…温度計,６１…温度検出素子,６２…表示器,１００…屋根
【図１】
2011172538.tif 000003
【図２】
2011172538.tif 000004
【図３】
2011172538.tif 000005
【図４】
2011172538.tif 000006
【図５】
2011172538.tif 000007
【図６】
2011172538.tif 000008
【図７】
2011172538.tif 000009
【図８】
2011172538.tif 000010
【図９】
2011172538.tif 000011
【図１０】
2011172538.tif 000012
【図１１】
2011172538.tif 000013
【図１２】
2011172538.tif 000014